(57)【要約】【課題】様々な撮影において操作性を向上する上で有利なカメラを提供する。【解決手段】カメラ本体１０の左側面１０１０の上半部には、矩形板状を呈する表示部２４が開閉可能に設けられている。表示部２４は、ケース２５と表示器２６を備え、ケース２５はその前端がカメラ本体１０の左側面１０１０の前部の上部に設けられたヒンジ２５０２に、カメラ本体１０に合わされた閉状態とカメラ本体１０から突出する開状態との間を揺動できるように連結されている。表示面２６０２はケース２５の内面２５０６に設けられ、内面２５０６は表示面２６０２の周囲に枠状に延在する内面部分２５１０となっている。撮影用操作部材（バックライトボタン２８とスタートストップボタン３０）は、ヒンジ２５０２とは反対側の内面部分２５１０の箇所に設けらている。【選択図】        図２
2005189601.tif 000002
【特許請求の範囲】
【請求項１】
カメラ本体と、
前記カメラ本体に設けられた撮影光学系と、
前記カメラ本体に設けられ前記撮影光学系で捉えた画像を表示する表示部とを備え、
前記表示部は前記カメラ本体に、該カメラ本体に合わされた閉状態と該カメラ本体から突出する開状態との間を揺動できるように連結されたケースと、前記画像が表示される表示面を有し、
前記ケースは、前記閉状態で前記カメラ本体の表面の一部を形成する外面と、前記閉状態でカメラ本体に合わされ前記開状態で露出する内面とを有し、
前記表示面は前記内面に設けられ、
前記表示面が位置していない前記内面の内面部分に前記表示面が臨む方向とほぼ同じ方向から操作可能な撮影用操作部材が設けられている、
ことを特徴とするカメラ。
【請求項２】
前記内面部分は、前記表示面の周囲に枠状に設けられていることを特徴とする請求項１記載のカメラ。
【請求項３】
前記撮影用操作部材が設けられている前記内面部分の箇所は前記ケースが前記カメラ本体に連結されている一側とは反対側の箇所であることを特徴とする請求項１記載のカメラ。
【請求項４】
前記内面および表示面は左右に横長の矩形状を呈し、前記表示面は前記内面の中央に設けられ、前記内面部分は上下の辺とこれら上下の辺よりも短い左右の辺とで矩形枠状に形成され、前記左右の辺の一方の前記ケースの箇所が前記カメラ本体に連結され、前記左右の辺の他方に前記撮影用操作部材が設けられていることを特徴とする請求項１記載のカメラ。
【請求項５】
前記カメラ本体は、左右の厚さよりも前後の長さおよび上下の高さが大きい矩形板状に形成され、前記表示部は扁平な矩形板状に形成され、前記カメラ本体の側面に前記表示部が配置され、前記ケースの前端がカメラ本体に揺動可能に連結されていることを特徴とする請求項１記載のカメラ。
【請求項６】
前記カメラ本体は、左右の厚さよりも前後の長さおよび上下の高さが大きい矩形板状に形成され、前記表示部は扁平な矩形板状に形成され、前記カメラ本体の側面に前記表示部が配置され、前記ケースの前端がカメラ本体に揺動可能にかつ前記開状態で前記カメラ本体の前後方向および高さ方向に対して交差する方向に延在する仮想軸の回りに回転可能に連結されていることを特徴とする請求項１記載のカメラ。
【請求項７】
前記撮影用操作部材は、動画の撮影のスタートおよびストップを行うためのスタートストップボタン、静止画の撮影を行うためのシャッターボタンの何れかを含むことを特徴とする請求項１記載のカメラ。
【請求項８】
前記表示面は液晶表示素子と、該液晶表示素子を照明するバックライトとを含んで構成され、前記撮影用操作部材は、前記バックライトのオン、オフを切り替えるためのバックライトスイッチを含むことを特徴とする請求項１記載のカメラ。
【発明の詳細な説明】
【技術分野】
【０００１】
本発明は画像などを表示する表示部を備えるカメラに関する。
【背景技術】
【０００２】
カメラとして、例えば、ビデオカメラが知られている。
このビデオカメラは、カメラ本体と、前記カメラ本体に設けられた撮影光学系と、前記カメラ本体に設けられ前記撮影光学系で捉えた画像を表示する表示部とを備え、前記表示部は前記カメラ本体に、該カメラ本体に合わされた閉状態と該カメラ本体から突出する開状態との間を揺動できるように連結されたケースと、前記画像が表示される表示面を有している。撮影のスタートとストップを行わせるためのスタートストップスイッチはカメラ本体を把持した手の指で操作可能なカメラ本体の箇所に設けられている（例えば特許文献１参照）。このビデオカメラを使用して撮影を行う場合、ユーザーは、開状態の表示部の表示面に表示される被写体像を視認しつつスタートストップスイッチを操作する。
また、カメラ本体の上面にスタートストップスイッチを設けたビデオカメラが提供されている（例えば特許文献２、３参照）。
【特許文献１】特許公報第２５２６９００号
【特許文献２】特開平５−５６３１９号公報
【特許文献３】特許公報第３２９８１４５号
【発明の開示】
【発明が解決しようとする課題】
【０００３】
しかしながら、上述した従来のビデオカメラのうち、表示部がカメラ本体に連結されたビデオカメラでは、カメラ本体をユーザーの頭部よりも高い位置に位置させた状態で表示部の表示面を視認しつつ撮影するハイアングル撮影、あるいは、カメラ本体をユーザーの頭部よりも低い位置に位置させた状態で表示部の表示面を視認しつつ撮影するローアングル撮影を行う際、カメラ本体が頭部の上方あるいは下方に位置することから、多くの場合、カメラ本体を把持する手の姿勢が不自然なものとなり、また、スタートストップスイッチがカメラ本体に設けられていることからスタートストップスイッチの操作が行いにくく、操作性を向上する上で不利があった。
また、上述した従来のビデオカメラのうち、カメラ本体の上面にスタートストップスイッチを設けた２つのビデオカメラでは、ローアングル撮影の際には該スタートストップスイッチの操作が比較的容易にできる反面、ハイアングル撮影の際にはスタートストップスイッチの操作がかえって行いにくく、操作性を向上する上で不利があった。
また、上述した従来のビデオカメラはその何れもが、撮影光学系および表示部の双方をユーザー自身に向けて撮影を行う、いわゆる自分撮りを行う場合には、カメラ本体の前後方向が反転することによりスタートストップスイッチの位置が手で操作しにくい位置に位置してしまうことから操作性を向上する上で不利があった。
本発明はこのような事情に鑑みなされたものであり、その目的は、様々な撮影において操作性を向上する上で有利なカメラを提供することにある。
【課題を解決するための手段】
【０００４】
上述の目的を達成するため、本発明のカメラは、カメラ本体と、前記カメラ本体に設けられた撮影光学系と、前記カメラ本体に設けられ前記撮影光学系で捉えた画像を表示する表示部とを備え、前記表示部は前記カメラ本体に、該カメラ本体に合わされた閉状態と該カメラ本体から突出する開状態との間を揺動できるように連結されたケースと、前記画像が表示される表示面を有し、前記ケースは、前記閉状態で前記カメラ本体の表面の一部を形成する外面と、前記閉状態でカメラ本体に合わされ前記開状態で露出する内面とを有し、前記表示面は前記内面に設けられ、前記表示面が位置していない前記内面の内面部分に前記表示面が臨む方向とほぼ同じ方向から操作可能な撮影用操作部材が設けられていることを特徴とする。
【発明の効果】
【０００５】
そのため、本発明によれば、表示部の内面部分に、表示面が臨む方向とほぼ同じ方向から操作可能な撮影用操作部材が設けられているので、ユーザー側に表示部の表示面を向ければ、撮影用操作部材がユーザーの手の指先で容易に操作しやすい箇所に必然的に位置することになり、例えばハイアングル撮影、ローアングル撮影、あるいは自分撮りなどの際、様々な撮影時の操作性を向上する上で有利である。
【発明を実施するための最良の形態】
【０００６】
操作性を向上するという目的を、表示部の内面部分に表示面が臨む方向とほぼ同じ方向から操作可能な撮影用操作部材を設けることによって実現した。
【実施例１】
【０００７】
次に本発明の実施例１について図面を参照して説明する。
する。
図１は実施例１のカメラを前方から見た斜視図、図２は実施例１のカメラを後方から見た斜視図、図３は実施例１のカメラを下方から見た斜視図、図４はグリップベルトのカメラに対する連結を説明する説明図、図５、図６はグリップベルトのカメラに対する着脱操作の説明図、図７〜図１１はグリップベルトの構成を示す斜視図、図１２、図１３はグリップベルトの使用説明図、図１４はカメラの操作説明図である。
なお、本明細書においてカメラの左右とはカメラの後方から見た左右をいうものとする。
【０００８】
図１〜図３に示すように、本実施例のカメラは動画および静止画の記録が可能なビデオカメラ１００である。
ビデオカメラ１００はカメラ本体１０を備え、カメラ本体１０の内部にカメラ機構部とビデオ機構部とが一体に内蔵されている。
カメラ本体１０は、左右の厚さよりも前後の長さおよび上下の高さが大きい扁平な矩形板状に形成されている。本実施例では上下の高さが前後の長さよりも大きい寸法でカメラ本体１０が形成され、ビデオカメラ１００は縦型となっている。
【０００９】
図１に示すように、カメラ本体１０には該カメラ本体１０の前面１００２の上部に臨むように撮影光学系１２が配置されている。
図２、図３に示すように、カメラ本体１０の後面１００４の上部にはビューファインダー１４が設けられ、ビューファインダー１４の下方の後面１００４箇所には電源スイッチ１６と、動画記録の開始と停止を行うためのスタートストップボタン１８とが設けられている。
図１、図３に示すようにカメラ本体１０の右側面１０１２の前部の上部には、ズームレバー２０が揺動可能に配設され、ズームレバー２０の後方箇所に静止画撮影用のシャッターボタン２２が設けられている。
なお、本実施例において、電源スイッチ１６、スタートストップボタン１８、ズームレバー２０、シャッターボタン２２はそれぞれ本発明における撮影用操作部材を構成している。
【００１０】
図１、図３に示すように、カメラ本体１０の右側面１０１２にはグリップベルト４０が設けられている。
グリップベルト４０は、本実施例では、第１ベルト４２と第２ベルト４４とを有している。第１ベルト４２および第２ベルト４４は、例えば、可撓可能な合成樹脂材料で形成されている。
第１ベルト４２は、その長手方向の一端がカメラ本体１０の右側面１０１２の前部の下部の取り付け部１０１４に取着され、その長手方向の他端に矩形リング状のベルト連結具４２０２が取着され、その長手方向の両端を除く部分にパッド４２０４が取着されている。そして、カメラ本体１０１０を持ち上げると、第１ベルト４２はその幅方向をカメラの前後方向に平行させた状態で取り付け部１０１４から下方に垂れ下がる。パッド４２０４は、例えば、合成皮革や、厚めの布、軟質な合成樹脂、軟質なゴムなどの軟質材料により形成されている。
【００１１】
第２ベルト４４は、ベルト連結具４２０２に連結されて設けられている。
第２ベルト４４には、図１、図３に示すように、カメラ本体１０の右側面１０１２側に位置する内側ベルト部分４４０２と、この内側ベルト部分４４０２の外側方に位置する外側ベルト部分４４０４とでそれらの内側に右手の親指を除く４本の指およびこの４本の指に対応する手のひら部分が挿通できる大きさの挿通部４８が設けられている。
内側ベルト部分４４０２の長手方向の一端はベルト連結具４２０２に連結されている。
内側ベルト部分４４０２の長手方向の他端は前記カメラ本体１０の右側面１０１２の後部に取着されている。
本実施例では、内側ベルト部分４４０２の他端は、前記カメラ本体１０の右側面１０１２の後部で前記第１ベルト４２がカメラ本体１０に取着された取り付け部１０１４よりも上方の箇所に取着されている。
さらに本実施例では、内側ベルト部分４４０２の他端は、前記カメラ本体１０の右側面１０１２の後部に着脱可能に取着されている。より詳細に説明すると、カメラ本体１０の右側面１０１２の後部には、図４、図５、図６に示すように、横長形状の係合孔４６０２や解除レバー４６０４からなる係脱機構４６が設けられ、内側ベルト部分４４０２には図８に示すように、係脱機構４６に係脱する金具４４０６が設けられている。そして、図５に示すように、内側ベルト部分４４０２の前部を後部よりも高くなるように傾斜させて金具４４０６の係合片４４０８を係合孔４６０２に挿入し、図６に示すように、内側ベルト部分４４０２の前部を後部よりも低くなるように傾動させると、係合片４４０８が係脱機構４６に係合されるように構成されている。また、図６に示す内側ベルト部分４４０２の傾斜状態から解除レバー４６０４を操作し、図５に示すように内側ベルト部分４４０２の前部を後部よりも高くなるように傾動させると、係合片４４０８が係脱機構４６から外れるように構成されている。なお、このような係脱機構４６や金具４４０６の構造は、従来公知、周知の様々な構成が採用可能である。
【００１２】
このように内側ベルト部分４４０２の長手方向の両端がベルト連結具４２０２と係脱機構４６に連結されることにより、挿通部４８が前記カメラ本体１０の右側面１０１２の側方で前記カメラ本体１０の前後方向に細長形状となりかつ前記挿通部４８の後端が該挿通部４８の前端よりも上方に位置するように傾斜して形成されている。より詳細には、カメラ本体１０の側方から見て、挿通部４８の長手方向の前部がカメラ本体１０の下方に位置し、挿通部４８の長手方向の中間部がカメラ本体１０の下面近傍に位置し、挿通部４８の後部がカメラ本体１０の右側面１０１２の側方に位置する。また、挿通部４８は、係脱機構４６に取着された後端箇所を支点として挿通部４８の前端が上下方向やカメラ本体１０の右側面１０１２から離れる方向に動くことができ、自由度が確保されている。さらに、挿通部４８の前端が第１ベルト４２の下端に連結されているので、取り付け部１０１４を支点とした第１ベルト４２の移動範囲に対応した範囲で挿通部４８の前端は動くことができ、挿通部４８の自由度がより大きく確保されている。
外側ベルト部分４４０４には甲当てパッド５０が取着されている。甲当てパッド５０は、例えば、合成皮革や、厚めの布、軟質な合成樹脂、軟質なゴムなどの軟質材料により形成されている。本実施例では、甲当てパッド５０には、内側ベルト部分４４０２を覆い挿通部４８に右手の親指を除く４本の指およびこの４本の指に対応する手のひら部分が挿通された状態で該手のひら部分に接触するパッド５２が連結されている。パッド５２は、例えば、合成皮革や、厚めの布、軟質な合成樹脂、軟質なゴムなどの軟質材料により形成されている。このように外側ベルト部分４４０４には甲当てパッド５０が取着され、かつ、内側ベルト部分４４０２には前記甲当てパッド５０に連続するパッド５２が設けられていることにより、挿通部４８に手のひらを挿通することがユーザーにとって瞬時に判別できるようなっている。
そして、右手の親指を除く４本の指およびこの４本の指に対応する手のひら部分を前記挿通部４８に挿通し、親指の先部をカメラ本体１０の後面に当て、少なくとも中指の先部と薬指の先部をカメラ本体１０の前面に当てることでカメラ本体１０を保持し、人差し指でズームレバー２０とシャッターボタン２２を操作できるように構成されている。
【００１３】
第２ベルト４４について詳細に説明すると、図７〜図１１に示すように、第２ベルト４４は、単一のベルト体がその長手方向の中間部で折り返されそれらの両端部分が接合されて形成されており、ベルト体が接合された接合部分４４１０以外のベルト体箇所により内側ベルト部分４４０２および外側ベルト部分４４０４が形成されている。
甲当てパッド５０は、開閉可能な一対の開閉片５００２Ａ、５００２Ｂと、これら開閉片５００２Ａ、５００２Ｂが向かい合う面にそれぞれ取着された面ファスナー５００４Ａ、５００４Ｂとを備え、一対の開閉片５００２Ａ、５００２Ｂのうちの一方の開閉片５００２Ａで面ファスナー５００４Ａの内側の箇所に外側ベルト部分４４０４が挿通され面ファスナーとともに開閉片に縫い合わされている。
パッド５２は開閉片５００２Ａから突設されている。本実施例では、パッド５２の内部に該パッド５２の長手方向に沿って延在するベルト挿通孔５２０２が設けられ、内側ベルト部分４４０２はこのベルト挿通孔５２０２に挿通されている。
そして、図１０に示すように、接合部分４４１０および該接合部分４４１０に近接する内側ベルト部分４４０２および外側ベルト部分４４０４の部分はベルト連結具４２０２に挿通され、図９に示すように、該ベルト連結具４２０２から折り返され、接合部分４４１０の先部は前記一対の開閉片５００２Ａ、５００２Ｂの間に配置され、接合部分４４１０の先部の面ファスナー４４１２が開閉片５００２Ａの面ファスナー５００４Ａに取着され、図７に示すように、面ファスナー５００４Ａ、５００４Ｂを介して一対の開閉片５００２Ａ、５００２Ｂが閉じることでこれら開閉片５００２Ａ、５００２Ｂにより保持される。したがって、一対の開閉片５００２Ａ、５００２Ｂで保持される接合部分４４１０の長さを変えることで挿通部４８の大きさが調整される。
なお、接合部分４４１０の先端には係止具４４１４が取着されており、接合部分４４１０がベルト連結具４２０２から外れないようにしている。
【００１４】
本実施例では、図１２に示すように、右手の親指を除く４本の指およびこの４本の指に対応する手のひら部分を挿通部４８に挿通し、親指の先部をカメラ本体１０の後面１００４に当て、中指の先部と薬指の先部をカメラ本体１０の前面１００２に当てることでカメラ本体１０を保持し、人差し指でズームレバー２０およびシャッターボタン２２などの撮影用操作部材を操作する。あるいは、右手の親指を除く４本の指およびこの４本の指に対応する手のひら部分を挿通部４８に挿通し、親指の先部をカメラ本体１０の後面１００４に当て、中指の先部と薬指の先部と小指の先部をカメラ本体１０の前面１００２に当てることでカメラ本体１０を保持し、人差し指で前記撮影用操作部材を操作する。この場合、従来と違って、カメラ本体１０の側面とグリップベルトの間に手を挿入するのではなく、カメラ本体１０の右側面１０１２に対して自由に動くことができる挿通部４８に手を挿通し、しかもこの挿通部４８の前端はカメラ本体１０の前端の下部の下方に離れた第１ベルト４２の下端に連結されカメラ本体１０の右側面１０１２に対して挿通部４８が自由に動くことができる範囲がより大きく確保されているので、挿通部４８に挿通された手がカメラ本体１０の右側面１０１２とグリップベルト４０とにより拘束されることがなく、手のひらの自由度が大きく確保され、指先がカメラ本体１０を把持するために適切な箇所に届きやすく、カメラ本体１０をしっかりと把持する上で有利となり、また、ズームレバー２０およびシャッターボタン２２などの撮影用操作部材を操作しやすい箇所に指が届きやすく、カメラ本体１０の右側面１０１２の前部の上部に設けられた撮影用操作部材を操作をする上でも有利となっている。
また、従来と違って、カメラ本体１０側面とグリップベルト４０の間に手を挿入するのではなく、カメラ本体１０の右側面１０１２に対して自由に動くことができる範囲が大きく確保された挿通部４８に手を挿通するので、従来のようにカメラ本体１０の右側面１０１２により手が拘束されることがなく、手のひらの自由度が大きく確保され、取り扱い性や取り回し性を向上する上でも有利となっている。
【００１５】
また、本実施例では、内側ベルト部分４４０２の後端が、カメラ本体１０の右側面１０１２に着脱可能に取着されているので、内側ベルト部分４４０２の後端部分をカメラ本体１０の右側面１０１２から取り外すことで、グリップベルト４０をストラップベルトとして使用することができる。すなわち、図７、図８に示すように、グリップベルト４０の内側ベルト部分４４０２の金具４４０６をカメラ本体１０の係脱機構４６から取り外すことで、内側ベルト部分４４０２はカメラ本体１０の右側面１０１２から離れる。そして、図９、図１０、図１１に示すように一対の開閉片５００２Ａ、５００２Ｂの間から接合部分４４１０の先部を外し、係止具４４１４がベルト連結具４２０２に係止するまで接合部分４４１０を引き出す。そして、一対の開閉片５００２Ａ、５００２Ｂを面ファスナー５００４Ａ、５００４Ｂを介して閉じることで、グリップベルト４０をストラップベルトとして使用することができる。具体的には、係止具４４１４がベルト連結具４２０２に係止するまで接合部分４４１０を引き出すと、図１１に示すように、内側ベルト部分４４０２および外側ベルト部分４４０４の長さは最大となり、これにより挿通部４８の大きさも最大となり、挿通部４８はその内部に手のひら全体を挿通できる大きさとなる。したがって、挿通部４８に右手を挿通させ、グリップベルト４０をストラップベルトとして使用することができる。
この場合には、図１３に示すように、挿通部４８に右手を挿通させ、挿通部４８を手首に位置させた状態で右手によってカメラ本体１０を把持することができ、カメラ本体１０をユーザーの頭部よりも上方に位置させたハイアングル撮影、あるいは、カメラ本体１０をユーザーの頭部よりも下方に位置させたローアングル撮影を行う場合、カメラ本体１０の姿勢を自由に変えることができ、取り扱い性や取り回し性を向上する上で有利となっている。なお、第１ベルト４２と、この第１ベルト４２とは別体の第２ベルト４４とでグリップベルト４０を構成した場合について説明したが、ベルトの取り回しやベルト連結具４２０２の構造如何によってはグリップベルト４０を単一のベルトで構成することも可能である。
【００１６】
図２に示すように、カメラ本体１０の左側面１０１０の上半部には、矩形板状を呈する表示部２４が開閉可能に設けられるとともに、閉じられた状態の表示部２４を収容する凹部１０１１が設けられている。
表示部２４は、ケース２５と表示器２６を備えている。
ケース２５は上下寸法よりも前後寸法が大きい前後に長い横長の矩形板状を呈し、その前端がカメラ本体１０の左側面１０１０の前部の上部に設けられたヒンジ２５０２に、カメラ本体１０に合わされた閉状態とカメラ本体１０から突出する開状態との間を揺動できるように連結されている。本実施例では、カメラ本体１０にケース２５の前端が揺動可能にかつ前記開状態でカメラ本体１０の前後方向および高さ方向に対して交差する方向に延在する仮想軸の回りに回転可能に連結されている。
ケース２５は、前記閉状態でカメラ本体１０の表面の一部を形成する外面２５０４と、前記閉状態でカメラ本体１０に合わされ前記開状態で露出する内面２５０６と、内面２５０６に設けられた凹部とを備える。
【００１７】
表示器２６は、内面２５０６の凹部に収納されて配置され、撮影光学系１２で捉えた動画や静止画、記録された動画や静止画、文字などを含む画像を表示するハイブリッド液晶表示素子からなる表示面２６０２と、ハイブリッド液晶表示素子を照明するバックライトから構成されている。本実施例では、前記バックライトによってハイブリッド液晶表示素子を照明した状態での表示と、バックライトを消灯してハイブリッド液晶表示素子を照明せず周囲からの光を利用した状態での表示との双方が可能となるように構成されている。
表示面２６０２はケース２５の内面２５０６に設けられ、内面２５０６は表示面２６０２の周囲に枠状に延在する内面部分２５１０となっている。本実施例では、内面２５０６および表示面２６０２は左右に横長の矩形状を呈し、表示面２６０２は内面２５０６の中央に設けられ、内面部分２５１０は上下の辺２５１０Ａとこれら上下の辺よりも短い左右の辺２５１０Ｂとで矩形枠状に形成され、左右の辺２５１０Ｂの一方のケース２５の箇所がカメラ本体１０に連結されている。
【００１８】
左右の辺２５１０Ｂの他方に撮影用操作部材が設けられている。すなわち、撮影用操作部材は、ケース２５がカメラ本体１０に連結されている一側とは反対側の内面部分２５１０の箇所に設けられ、すなわちヒンジ２５０２と反対に位置する箇所に設けられている。
本実施例では、この撮影用操作部材は、前記バックライトのオン、オフを切り替えるためのバックライトスイッチ２８と、前記スタートストップボタン１８と同様に動画記録の開始と停止を行うためのスタートストップボタン３０であり、左右の辺２５１０Ｂの他方の上部にバックライトボタン２８が、その下方にスタートストップボタン３０が設けられている。
これら撮影用操作部材は、表示面２６０２が臨む方向とほぼ同じ方向から操作可能に設けられている。
【００１９】
次に作用効果について説明する。
本実施例では、表示部２４の表示面２６０２の周囲に設けられた内面部分２５１０に表示面２６０２が臨む方向とほぼ同じ方向から操作可能な撮影用操作部材としてのバックライトボタン２８とスタートストップボタン３０が設けられているので、例えば、図１３、図１４に示すハイアングル撮影やローアングル撮影の際、ユーザー側に表示部２６の表示面を向ければ、撮影用操作部材がユーザーの左手の指先で容易に操作しやすい箇所に必然的に位置することになり、操作性を向上する上で有利である。
また、本実施例では、撮影用操作部材が設けられている内面部分２５１０の箇所はケース２５がカメラ本体１０に連結されている一側とは反対側の箇所であるため、これら撮影用操作部材を操作する左手の指先が表示面２６０２を遮ることがなく、表示面２６０２の視認性を確保する上で有利であり、かつ、これら撮影用操作部材の近傍に位置させた左手の親指と親指を除く指で表示部２４のケース２５の縁部をその厚さ方向で挟んで把持すれば、カメラ本体１０のぶれを防止でき撮影姿勢の安定化を図る上で有利となる。
また、ビデオカメラ１００の撮影光学系１２および表示部２４の表示面２６０２の双方をユーザー自身に向けて自分撮りを行う場合においても、上述と同様に撮影用操作部材がユーザーの手の指先で容易に操作しやすい箇所に必然的に位置することになり、操作性を向上する上で有利である。
また、表示部２４の表示器２６としてハイブリッド液晶表示素子を用いた場合には、外部から表示面２６０２に入射する光（太陽光、照明光）の角度や明るさ、表示面２６０２に対するユーザーの視線がなす角度などの諸条件によって表示面２６０２の視認性が影響を受けるため、前記諸条件に応じてバックライトのオン、オフをきめ細かく切り替えることが好ましい。本実施例では、表示面２６０２を視認しつつバックライトスイッチ３０のオン、オフ操作を容易に行うことができるので、このようなハイブリッド液晶表示素子を表示器２６として用いた場合の操作性および視認性を確保する上で有利となる。
【００２０】
なお、撮影用操作部材としては、バックライトボタン２８とスタートストップボタン３０に限定されるものではなく、例えばズーム操作用のスイッチや静止画を撮影するためのシャッタスイッチなどを設けてもよい。また、これらのスイッチの一部または全てを表示器２６の表示面に設けたタッチスイッチで実現してもよいことはもちろんである。
また、実施例においては、カメラとしてビデオカメラを例示したが、本発明はデジタルスチルカメラ、テレビカメラなどの種々のカメラに無論適用可能である。
【図面の簡単な説明】
【００２１】
【図１】実施例１のカメラを前方から見た斜視図である。
【図２】実施例１のカメラを後方から見た斜視図である。
【図３】実施例１のカメラを下方から見た斜視図である。
【図４】グリップベルトのカメラに対する連結を説明する説明図である。
【図５】グリップベルトのカメラに対する着脱操作の説明図である。
【図６】グリップベルトのカメラに対する着脱操作の説明図である。
【図７】グリップベルトの構成を示す斜視図である。
【図８】グリップベルトの構成を示す斜視図である。
【図９】グリップベルトの構成を示す斜視図である。
【図１０】グリップベルトの構成を示す斜視図である。
【図１１】グリップベルトの構成を示す斜視図である。
【図１２】グリップベルトの使用説明図である。
【図１３】グリップベルトの使用説明図である。
【図１４】カメラの操作説明図である。
【符号の説明】
【００２２】
１００……カメラ、１０……カメラ本体、１０１０……左側面、１２……撮影光学系、２４……表示部、２５……ケース、２５０４……外面、２５０６……内面、２５１０……内面部分、２６……表示器、２６０２……表示面、２８……バックライトボタン、３０……スタートストップボタン。
【図１】
2005189601.tif 000003
【図２】
2005189601.tif 000004
【図３】
2005189601.tif 000005
【図４】
2005189601.tif 000006
【図５】
2005189601.tif 000007
【図６】
2005189601.tif 000008
【図７】
2005189601.tif 000009
【図８】
2005189601.tif 000010
【図９】
2005189601.tif 000011
【図１０】
2005189601.tif 000012
【図１１】
2005189601.tif 000013
【図１２】
2005189601.tif 000014
【図１３】
2005189601.tif 000015
【図１４】
2005189601.tif 000016